(57)【要約】【課題】  ＴＦＴ基板にカラーフィルタ等の有機膜を設け、その上側に台座を形成する場合でも、ＴＦＴ基板と対向基板との間隔を適正に維持することが可能な液晶表示装置を提供すること。【解決手段】  ＴＦＴ基板と、対向基板と、該ＴＦＴ基板と該対向基板との間に液晶ＬＣが挟持された液晶表示装置において、該対向基板には、該ＴＦＴ基板側に突出した支柱ＳＯＣが形成され、該ＴＦＴ基板上には、薄膜トランジスタと、該薄膜トランジスタを被覆する絶縁膜ＰＡＳ１と、該絶縁膜上に配置された有機膜（カラーフィルタＣＦ（Ｇ），ＣＦ（Ｒ））と、該有機膜の一部には共通電極を構成する透明電極ＣＩＴＯとが形成され、該透明電極の少なくとも一部には、共通電極補助線ＣＲＭを構成する金属膜とを有し、該透明電極上に配置された該金属膜の一部が、該支柱ＳＯＣに対応する台座ＰＥＤを形成していることを特徴とする。【選択図】図３
2010231035.tif 000002
【特許請求の範囲】
【請求項１】
ＴＦＴ基板と、対向基板と、該ＴＦＴ基板と該対向基板との間に液晶が挟持された液晶表示装置において、
該対向基板には、該ＴＦＴ基板側に突出した支柱が形成され、
該ＴＦＴ基板上には、薄膜トランジスタと、該薄膜トランジスタを被覆する絶縁膜と、該絶縁膜上に配置された有機膜と、該有機膜の一部には共通電極を構成する透明電極とが形成され、
該透明電極の少なくとも一部には、共通電極補助線を構成する金属膜とを有し、
該透明電極上に配置された該金属膜の一部が、該支柱に対応する台座を形成していることを特徴とする液晶表示装置。
【請求項２】
請求項１に記載の液晶表示装置において、該有機膜はカラーフィルタであることを特徴とする液晶表示装置。
【請求項３】
請求項１に記載の液晶表示装置において、該対向基板上には、ブラックマトリクスが形成され、該支柱は、該ブラックマトリクスの形成領域内に含まれるよう配置されていることを特徴とする液晶表示装置。
【請求項４】
請求項１に記載の液晶表示装置において、該ＴＦＴ基板にはゲート信号線が形成され、該共通電極補助線が該ゲート信号線に沿って配置され、該台座は、該共通電極補助線に設けられた開口部の内部に島状に配置される該金属膜であることを特徴とする液晶表示装置。
【請求項５】
請求項１に記載の液晶表示装置において、該ＴＦＴ基板にはゲート信号線が形成され、該ゲート信号線の形成領域内に含まれるように該薄膜トランジスタのソース電極が設けられ、画素電極を構成する透明電極の一部が、該共通電極を構成する透明電極と該有機膜及び該絶縁膜を貫通するスルーホールを介して、該ソース電極に接続されることを特徴とする液晶表示装置。
【発明の詳細な説明】
【技術分野】
【０００１】
本発明は液晶表示装置及びその製造方法において、支柱方式によってＴＦＴ基板と対向基板とを所定間隔に保持する液晶表示装置及びその製造方法に関する。
【背景技術】
【０００２】
液晶表示装置では画素電極や薄膜トランジスタ（ＴＦＴ）が形成されたＴＦＴ基板とカラーフィルタ等が形成された対向基板との間に液晶を充填し、この液晶の分子を電界によって制御することによって画像を形成する。ＴＦＴ基板と対向基板の間の間隔（セルギャップ）は数ミクロンと非常に小さい。ＴＦＴ基板と対向基板の間の間隔を適切に設定することは、液晶による光の透過を制御するためには極めて重要である。
【０００３】
ＴＦＴ基板と対向基板の間隔を規定する例として、ビーズ等を分散する方法がある。しかし、ビーズを分散させると、画素電極が形成された領域にまで、ビーズが分散されることになり、この部分において光が散乱されてコントラストが低下するという問題があった。
【０００４】
一方、従来の液晶の充填方法は、ＴＦＴ基板と対向基板との間をシールし、シールの一部に開口を設け、そこから液晶を注入する方法、およびＴＦＴ基板上に液晶を必要量滴下し、その後対向基板をシールして液晶を封止する方法などが開発されている。何れの場合においても、ビーズを分散させる場合は、液晶を滴下する際に、ビーズが移動し、ビーズの多い場所と少ない場所が生ずる。また、ビーズはバックライトの光が透過する画素領域内にも分散され、開口率が低下し、開口率低下の原因となり得る。
【０００５】
以上のようなビーズを利用する例の他に、ＴＦＴ基板と対向基板との間隔を規定する方法として、対向基板上に有機膜による支柱（支柱）を形成する方法（支柱方式）がある。支柱は、一般的には、画素電極が存在していない部分すなわち、バックライトからの光が透過しない部分に設置する。したがって、支柱の存在によって、輝度（開口率）を低下させることはない。また、支柱は対向基板に固定されているために、液晶を滴下した場合も移動することは無い。したがって、支柱によって間隔を維持する方法は液晶を滴下する方式（液晶滴下封入方式）にも好適である。
【０００６】
他方、ＴＦＴ基板上にカラーフィルタを形成するカラーフィルタオンアレイ（Color filter On Array,ＣＯＡ）型の液晶表示装置がある。このような例として、特許文献１がある。
【０００７】
ＣＯＡ型の液晶表示装置において支柱方式を採用する場合は、ブラックマトリクスを形成した対向基板の表面に支柱を設け、カラーフィルタを形成したＴＦＴ基板に支柱を当接させることになる。この際、対向基板とＴＦＴ基板との間隔をより適正に維持すると共に、支柱がＴＦＴ基板表面を滑らないようにするため、ＴＦＴ基板には支柱と接触する台座が形成されている。
【先行技術文献】
【特許文献】
【０００８】
【特許文献１】特開２００２−２９６６１５号公報
【発明の概要】
【発明が解決しようとする課題】
【０００９】
ＴＦＴ基板に形成する台座は、通常、金属膜や半導体層が利用されているが、表示ムラなどの画質劣化が発生するのを抑制するためには、台座の面積を小さくすることが好ましい。このため、台座の面積を小さくすると、ＴＦＴ基板上にカラーフィルタを設け、その上側に台座を形成していることから、支柱に台座が押され、カラーフィルタが窪み、台座の位置が沈む現象が発生することとなる。これにより、ＴＦＴ基板と対向基板との間隔を適正に維持することが困難となる。
【００１０】
これは、カラーフィルタが顔料を含む樹脂で構成され、台座の金属膜に比較して柔らかいことが原因であり、このような現象は、ＣＯＡ型の液晶表示装置に限らずＴＦＴ基板上に有機膜を形成し、その上に台座を設ける場合には、常に発生する問題でもある。
【００１１】
本発明が解決しようとする課題は、上記のような問題を解決し、ＴＦＴ基板にカラーフィルタ等の有機膜を設け、その上側に台座を形成する場合でも、ＴＦＴ基板と対向基板との間隔を適正に維持することが可能な液晶表示装置を提供することである。
【課題を解決するための手段】
【００１２】
本発明は、上述した課題を解決するため、台座を構成する金属膜の下側に透明電極を配置することで、台座に加わる圧力を分散させ、有機膜上でも台座の位置が沈まないように構成することを特徴とする。具体的な手段は、次のとおりである。
【００１３】
（１）  ＴＦＴ基板と、対向基板と、該ＴＦＴ基板と該対向基板との間に液晶が挟持された液晶表示装置において、該対向基板には、該ＴＦＴ基板側に突出した支柱が形成され、該ＴＦＴ基板上には、薄膜トランジスタと、該薄膜トランジスタを被覆する絶縁膜と、該絶縁膜上に配置された有機膜と、該有機膜の一部には共通電極を構成する透明電極とが形成され、該透明電極の少なくとも一部には、共通電極補助線を構成する金属膜とを有し、該透明電極上に配置された該金属膜の一部が、該支柱に対応する台座を形成していることを特徴とする。
【００１４】
（２）  上記（１）に記載の液晶表示装置において、該有機膜はカラーフィルタであることを特徴とする。
【００１５】
（３）  上記（１）に記載の液晶表示装置において、該対向基板上には、ブラックマトリクスが形成され、該支柱は、該ブラックマトリクスの形成領域内に含まれるよう配置されていることを特徴とする。
【００１６】
（４）  上記（１）に記載の液晶表示装置において、該ＴＦＴ基板にはゲート信号線が形成され、該共通電極補助線が該ゲート信号線に沿って配置され、該台座は、該共通電極補助線に設けられた開口部の内部に島状に配置される該金属膜であることを特徴とする。
【００１７】
（５）  上記（１）に記載の液晶表示装置において、該ＴＦＴ基板にはゲート信号線が形成され、該ゲート信号線の形成領域内に含まれるように該薄膜トランジスタのソース電極が設けられ、画素電極を構成する透明電極の一部が、該共通電極を構成する透明電極と該有機膜及び該絶縁膜を貫通するスルーホールを介して、該ソース電極に接続されることを特徴とする。
【発明の効果】
【００１８】
本発明は、上記（１）のように、ＴＦＴ基板上には、薄膜トランジスタと、該薄膜トランジスタを被覆する絶縁膜と、該絶縁膜上に配置された有機膜と、該有機膜の一部には共通電極を構成する透明電極とが形成され、該透明電極の少なくとも一部には、共通電極補助線を構成する金属膜とを有し、該透明電極上に配置された該金属膜の一部が、該支柱に対応する台座を形成しているため、金属膜で形成される台座の下側に透明電極が配置されるため、支柱により台座に加わる圧力が分散され、該有機膜への台座の沈み込みを抑制することができる。このため、対向基板とＴＦＴ基板との間隔を常に適正に維持することができる。
【００１９】
しかも、台座を共通電極補助線を構成する金属膜を利用し、また、台座の下側に配置される透明電極も共通電極を構成する透明電極を利用するため、液晶表示装置の製造工程を複雑化させることなく、通常の製造工程に台座等に係るマスクパターンを調整するだけで、本発明を容易に実現することが可能となる。
【００２０】
上記（２）のように、有機膜はカラーフィルタであるため、ＣＯＡ型の液晶表示装置にも本発明を好適に適用することが可能となる。
【００２１】
上記（３）のように、対向基板上には、ブラックマトリクスが形成され、支柱は、該ブラックマトリクスの形成領域内に含まれるよう配置されているため、支柱の存在により画質が劣化することも無い。
【００２２】
上記（４）のように、ＴＦＴ基板にはゲート信号線が形成され、共通電極補助線が該ゲート信号線に沿って配置され、該台座は、該共通電極補助線に設けられた開口部の内部に島状に配置される該金属膜であるため、台座を構成する金属膜はバックライトからの光を反射し易く、画質に影響を与える可能性が高いが、ゲート信号線により台座に当る光が遮光されるため、画質の劣化を抑制することが可能となる。また、ゲート信号線が占める面積の範囲で台座の面積を大きくできるため、有機膜により沈み込み難い台座を提供することができる。
【００２３】
上記（５）のように、ＴＦＴ基板にはゲート信号線が形成され、該ゲート信号線の形成領域内に含まれるように該薄膜トランジスタのソース電極が設けられ、画素電極を構成する透明電極の一部が、該共通電極を構成する透明電極と該有機膜及び該絶縁膜を貫通するスルーホールを介して、該ソース電極に接続されるため、ゲート信号線が占める面積の範囲でスルーホールを大きくでき、高開口率化により画素電極とソース電極との導通に係る抵抗を下げると共に、両者の確実な導通を実現することができる。
【図面の簡単な説明】
【００２４】
【図１】カラーフィルタ及びブラックマトリクスに対する支柱の配置を説明する図である。
【図２】本発明の液晶表示装置に係る第１の実施例に用いられるＴＦＴ基板の一部を示す平面図である。
【図３】図２の矢印Ａ−Ａ’における断面図である。
【図４】本発明の液晶表示装置に係る第１の実施例に用いられる共通電極、共通電極補助線の形状を説明する図である。
【図５】本発明の液晶表示装置に係る第２の実施例に用いられるＴＦＴ基板の一部を示す平面図である。
【図６】図５の矢印Ａ−Ａ’における断面図である。
【図７】本発明の液晶表示装置に係る第２の実施例に用いられる共通電極、共通電極補助線の形状を説明する図である。
【図８】本発明に係る液晶表示装置の全体を示す概略図である。
【図９】本発明に係る液晶表示装置に用いられる液晶表示パネルの全体を示す概略図である。
【発明を実施するための形態】
【００２５】
本発明に係る液晶表示装置について、詳細に説明する。
【００２６】
図７は、本発明が適用される液晶表示装置の概略構成図である。観察者側から、液晶表示パネルＰＡ、光学シートＯＳ、およびバックライトＢＬが順次配置されている。
【００２７】
液晶表示パネルＰＡは、一対の平行配置された、例えばガラスからなる基板ＳＵＢ１、ＳＵＢ２を有し、これら各基板ＳＵＢ１、ＳＵＢ２の間に液晶が封入されている。
【００２８】
基板ＳＵＢ１、ＳＵＢ２の液晶側の面には、マトリクス状に配置された画素（図２又は図５参照）が形成され、これら画素ごとに液晶の光透過率を制御できるようになっている。
【００２９】
そして、これら各画素が形成された領域を画像表示領域ＡＲ（図中一点鎖線で囲まれた領域）とし、バックライトＢＬからの光を画像表示領域ＡＲの全域にわたって照射し、各画素を透過する光を通して観察者に映像を認識させるようになっている。
【００３０】
観察者側から見て後方に配置された基板ＳＵＢ１は、たとえばその図中左側辺および上側辺において基板ＳＵＢ２から露出された部分を有し、これらの部分において、複数のドライバ基板ＳＣＤｈ、ＳＣＤｖが接続されるようになっている。これらドライバ基板ＳＣＤｈ、ＳＣＤｖは、いわゆるＴＡＢ（Tape Automated Bonding）と呼ばれるＴＣＰ（Tape Carrier Package）やＣＯＦ（Chip on Film）などによって形成され、配線が形成されたフレキシブル基板ＦＢの上面に半導体チップＣＨが搭載されて構成される。
【００３１】
これら各ドライバ基板ＳＣＤｈ、ＳＣＤｖは各画素を独立に駆動させる回路であり、たとえば図中ｙ方向に並設されるドライバ基板ＳＣＤｖは走査信号駆動回路であり、図中ｘ方向に並設されるドライバ基板ＳＣＤｈは映像信号駆動回路である。
【００３２】
映像信号駆動回路である複数のドライバ基板ＳＣＤｈには、基板ＳＵＢ１と接続された辺と対向する他の辺においてプリント基板ＰＣＢが接続され、プリント基板ＰＣＢを通して外部入力信号が入力される。
【００３３】
なお、走査信号駆動回路である複数のドライバ基板ＳＣＤｖは、その外部入力信号が基板ＳＵＢ１の表面に形成された配線（不図示）を通して入力されるため、プリント基板ＰＣＢに相当する基板は備えられていない。
【００３４】
このように構成された液晶表示パネルＰＡの背面には、たとえばプリズムシートおよび拡散板等の積層体からなる光学シート手段（光学部材）ＯＳを介してバックライトＢＬが配置されている。光学部材ＯＳはバックライトＢＬからの光を拡散、集光させたりして液晶表示パネルＰＡ側へ導くようになっている。
【００３５】
図８では、バックライトＢＬは、いわゆる直下型と称され、箱状の筐体（フレーム部材ＤＦＲ）内に、線状光源である複数の蛍光管ＦＬを並設させた構成となっている。これ以外に、発光ダイオードなどの点状光源を面状に配置するバックライトも採用可能である。
【００３６】
次に、図９を用いて、基板ＳＵＢ１に形成される電極及び配線について説明する。基板ＳＵＢ１は、基板ＳＵＢ２と比較して、その面積が大きく形成され、たとえば図中左側辺部および上側辺部において、前記基板ＳＵＢ２から露出された領域を有する。
【００３７】
基板ＳＵＢ１の左側辺部の領域には、複数のドライバ基板ＳＣＤｖ（走査信号駆動回路）が並設され、基板ＳＵＢ１の上側辺部の領域には、複数のドライバ基板ＳＣＤｈ（映像信号駆動回路）が並設されている。ドライバ基板ＳＣＤｖは走査信号駆動回路を構成し、ゲート信号線ＧＬに接続され、ドライバ基板ＳＣＤｈは映像信号駆動回路を構成し、ドレイン信号線ＤＬに接続されている。
【００３８】
基板ＳＵＢ１の液晶側の面であって液晶表示領域ＡＲ内には、図中ｘ方向に延在しｙ方向に並設されるゲート信号線ＧＬが、また、図ｙ方向に延在しｘ方向に並設されるドレイン信号線ＤＬが形成されている。
【００３９】
隣接する一対のゲート信号線ＧＬと隣接する一対のドレイン信号線ＤＬで囲まれる矩形状の領域は画素が形成される領域を構成し、これにより、各画素は液晶表示領域ＡＲ内においてマトリクス状に配置されるようになる。
【００４０】
前記各ゲート信号線ＧＬは、その左側端部がシール材ＳＥを越えて液晶表示領域ＡＲの外側にまで延在され、近接するドライバ基板ＳＣＤｖの出力端子に接続され、該ドライバ基板ＳＣＤｖによって走査信号（電圧）が供給されるようになっている。
【００４１】
前記各ドレイン信号線ＤＬは、その上側端部がシール材ＳＬを越えて液晶表示領域ＡＲの外側にまで延在され、近接するドライバ基板ＳＣＤｈの出力端子に接続され、該ドライバ基板ＳＣＤｈによって映像信号（電圧）が供給されるようになっている。
【００４２】
前記画素は、たとえば図中丸枠Ｐの拡大図である丸枠Ｐ'に示すように、ゲート信号線ＧＬからの走査信号(電圧)によってオンされる薄膜トランジスタＴＦＴと、このオンされた薄膜トランジスタＴＦＴを介してドレイン信号線ＤＬからの映像信号（電圧）が供給される画素電極ＰＸと、一定の基準信号（電圧）が印加されて、前記画素電極ＰＸとの間の電位差によって電界を生じせしめる共通電極ＣＴが備えられている。より具体的な例は、図２又は図７で説明する。
【００４３】
画素電極ＰＸと共通電極ＣＴはともに同じ基板ＳＵＢ１に形成されており、前記電界は基板ＳＵＢ１の表面と平行な電界成分を一部に含むもので、このような電界によって液晶の分子を挙動（駆動）させるものを横電界（In-Plane-Switching）方式と称されている。
【００４４】
なお、本発明の前記共通電極ＣＴは、複数の画素の渡って平面的に形成されており、更に、低抵抗化を狙って共通電極補助線ＣＲＭが積層されている。また、共通電極補助線ＣＲＭは前記シール材ＳＥを越えて延在され、基板ＳＵＢ１面に形成されたコモン電圧端子ＣＴＭに接続されている。
【００４５】
図１は、カラーフィルタ及びブラックマトリクスに対する支柱の配置を説明する図である。ブラックマトリクスＢＭは対向基板ＳＵＢ２に形成され、カラーフィルタ（赤のカラーフィルタＣＦ（Ｒ），緑のカラーフィルタＣＦ（Ｇ），青のカラーフィルタＣＦ（Ｂ））は、ＴＦＴ基板ＳＵＢ１に形成されている。
【００４６】
図１に示すように、対向基板ＳＵＢ２とＴＦＴ基板ＳＵＢ１との間隔を規定する支柱ＳＯＣは、ブラックマトリクスＢＭの形成領域内に含まれるよう配置され、支柱の存在により画質が劣化することが無いように配慮されている。また、カラーフィルタの上側には、共通電極を構成する透明電極（不図示）が配置され、その上に、共通電極に電圧を印加する際の電気抵抗を低下させるため、共通電極補助線ＣＲＭが配線されている。
【実施例１】
【００４７】
次に、図２乃至４を用いて、本発明の液晶表示装置に係る第１の実施例について説明する。図２は、ＴＦＴ基板の一部を示す平面図であり、図３は、図２の矢印Ａ−Ａ’における断面図である。
【００４８】
図３に示すように、支柱ＳＯＣは、不図示の対向基板ＳＵＢ２の表面に配置されたブラックマトリクスＢＭと該ブラックマトリクスを覆う平坦化層ＯＣの表面に、ＴＦＴ基板に対向するように設けられる。平坦化層ＯＣの表面には、液晶ＬＣの配向を制御するための配向膜（不図示）が設けられている。
【００４９】
支柱ＳＯＣの製造方法は、平坦化層ＯＣの上面に感光性樹脂を塗布し、加熱乾燥させた後、支柱の形成位置に対応する部位に透光部を有するマスクパターンで露光し、感光性樹脂を現像して非露光部を除去して支柱パターンを形成し、焼成し硬化させることにより、支柱を形成できる。
【００５０】
支柱ＳＯＣと当接するＴＦＴ基板側には、金属膜で構成される台座ＰＥＤが設けられている。ＴＦＴ基板の構成について、詳細に説明する。基板ＳＵＢ１（不図示）の表面に、ゲート信号線ＧＬが形成され、ゲート信号線ＧＬを覆うゲート絶縁膜ＧＩが配置されている。その上に、薄膜トランジスタを構成するアモルファスシリコンの半導体膜ａ−Ｓｉが設けられ、半導体膜ａ−Ｓｉの上面には、ソース電極ＳＯが、また、半導体膜ａ−Ｓｉやゲート絶縁膜ＧＩ上には、ドレイン信号線ＤＬが形成される。薄膜トランジスタやドレイン信号線ＤＬを覆う保護膜として、ＳｉＮなどの絶縁膜ＰＡＳ１が配置されている。
【００５１】
絶縁膜ＰＡＳ１の上には、各画素に応じてカラーフィルタ（ＣＦ（Ｒ），ＣＦ（Ｇ）など）が配置され、該カラーフィルタの上面には共通電極ＣＴを構成する透明電極ＣＩＴＯが配置される。透明電極としてはＩＴＯなどが好適に利用される。共通電極ＣＴは、ゲート信号線ＧＬやドレイン信号線ＤＬで定義される複数の画素領域に跨って、重畳されており、基本的には画素電極ＰＸのみならず、ゲート信号線ＧＬやドレイン信号線ＤＬにも重畳されている。また、共通電極ＣＴを構成する透明電極は電気抵抗が高いため、電圧を印加する際の電気抵抗を低減するために、金属膜で構成される共通電極補助線ＣＲＭが透明電極ＣＩＴＯ上に設けられている。
【００５２】
本発明の液晶表示装置においては、台座ＰＥＤとして、共通電極補助線ＣＲＭに用いられる金属膜を利用し、台座ＰＥＤの下側には、共通電極に利用される透明電極ＣＩＴＯを配置する。この構成により、図３に示すように、支柱ＳＯＣにより台座ＰＥＤに押圧力が加わっても、台座ＰＥＤの下の透明電極ＣＩＴＯによりその圧力が分散されるため、カラーフィルタＣＦ（Ｇ）などを構成する有機膜が窪むことが抑制される。これにより、台座がカラーフィルタＣＦ（Ｇ）に沈み込まず、対向基板とＴＦＴ基板との間隔を常に適正に維持することができる。
【００５３】
台座ＰＥＤは、共通電極補助線ＣＲＭを形成する際に同時に形成でき、また、台座の下側に配置される透明電極も共通電極ＣＴを構成する透明電極ＣＩＴＯを形成する際に同時に形成することが可能である。このため、本発明を実施する際に、液晶表示装置の製造工程を複雑化させることもない。
【００５４】
共通電極ＣＴや共通電極補助線ＣＲＭを保護するため、ＳｉＮなどの絶縁膜ＰＡＳ２が配置され、その上に、図２に示すような複数の開口部を有する画素電極ＰＸが、透明電極ＳＩＴＯを用いて形成される。さらに、ＴＦＴ基板の液晶に接する表面には、液晶の配向方向を制御するための配向膜（不図示）が設けられている。
【００５５】
図３に示すように、画素電極ＰＸを構成する透明電極ＳＩＴＯは、薄膜トランジスタのソース電極ＳＯにスルーホールＴＨを介して接続されている。絶縁膜ＰＡＳ２、共通電極ＣＴ、カラーフィルタＣＦ，絶縁膜ＰＡＳ１は、このスルーホールＴＨの周辺に開口部を有する。
【００５６】
図４に、ゲート信号線ＧＬ周辺の共通電極ＣＴの様子を示す。（薄膜トランジスタＴＦＴのソース電極やドレイン電極の図示は省略している。）
本発明の共通電極ＣＴは、複数の画素領域に跨って、表示領域全面に平面上に広がる構成となっているが、図４で示されたように、スルーホールＴＨに重畳する部分には開口部を有している。また、低抵抗化を実現するため、ゲート信号線ＧＬやドレイン信号線ＤＬに重畳する位置に、金属膜からなる共通電極補助線ＣＲＭを形成している。
【実施例２】
【００５７】
図５乃至図７により、本発明の液晶表示装置に係る第２の実施例について説明する。
図５は、図２と同様に、ＴＦＴ基板の一部を示す平面図である。図６は、図５の矢印Ａ−Ａ’における断面図である。図７は、図４と同様に、ゲート信号線ＧＬ周辺の共通電極ＣＴの様子を示す図である。
【００５８】
第２の実施例の特徴は、図５，７に示すように、ＴＦＴ基板ＳＵＢ１に形成されるゲート信号線ＧＬに沿って配置される共通電極補助線ＣＲＭの幅を、ゲート信号ＧＬの幅に近い大きさまで太くしていることである。そして、台座ＰＥＤは、共通電極補助線ＣＲＭに設けられた開口部の内部に島状に配置していることである。また、共通電極補助線ＣＲＭは、スルーホールＴＨの部分にも開口部を有する。共通電極補助線ＣＲＭの幅が広がった分、共通電極ＣＴと共通電極補助線ＣＲＭの電気抵抗をより低抵抗化することが可能となる。
【００５９】
また、台座ＰＥＤを構成する金属膜はバックライトからの光を反射し易く、画質に影響を与える可能性が高いが、ゲート信号線ＧＬにより台座ＰＥＤに当る光が遮光されるため、画質の劣化を抑制することが可能となる。しかも、ゲート信号線ＧＬが占める面積の範囲で台座ＰＥＤの面積を大きくできるため、カラーフィルタＣＦ（Ｇ）などの有機膜、台座が沈み込み難くなる。
【００６０】
それ以外の構成については、上述した第１の実施例と同じであり、図５乃至図７に付した符号も、図２乃至図４に付した符号と同様の意味を有する。
【産業上の利用可能性】
【００６１】
以上のように、本発明によれば、ＴＦＴ基板にカラーフィルタ等の有機膜を設け、その上側に台座を形成する場合でも、ＴＦＴ基板と対向基板との間隔を適正に維持することが可能な液晶表示装置を提供することが可能となる。
【符号の説明】
【００６２】
ＡＲ  画像表示領域
ＢＬ  バックライト
ＢＭ  ブラックマトリクス
ＣＩＴＯ  透明電極（共通電極）
ＣＦ（Ｂ）  カラーフィルタ（青）
ＣＦ（Ｇ）  カラーフィルタ（緑）
ＣＦ（Ｒ）  カラーフィルタ（赤）
ＣＲＭ  共通電極補助線
ＣＴ  共通電極
ＣＴＭ  コモン電圧端子
ＤＦＲ  フレーム部材
ＤＬ  ドレイン信号線
ＦＬ  蛍光管
ＧＩ  ゲート絶縁膜
ＧＬ  ゲート信号線
ＬＱ  液晶
ＯＣ  平坦化層
ＯＦ  配向膜
ＯＳ  光学シート
ＰＡ  液晶表示パネル
ＰＡＳ１，ＰＡＳ２  絶縁膜（保護膜）
ＰＥＤ  台座
ＰＸ  画素電極
ＳＥ  シール材
ＳＩＴＯ  透明電極（画素電極）
ＳＯＣ  支柱
ＳＯ  ソース電極
ＳＵＢ１  ＴＦＴ基板
ＳＵＢ２  対向基板
ａ−Ｓｉ  半導体膜（アモルファスシリコン）
ＴＦＴ  薄膜トランジスタ
【図１】
2010231035.tif 000003
【図２】
2010231035.tif 000004
【図３】
2010231035.tif 000005
【図４】
2010231035.tif 000006
【図５】
2010231035.tif 000007
【図６】
2010231035.tif 000008
【図７】
2010231035.tif 000009
【図８】
2010231035.tif 000010
【図９】
2010231035.tif 000011